(57)【特許請求の範囲】
【請求項１】
開放位置と閉成位置との間を変位可能に設けられた開閉蓋に形成されているロック部及びロック制御部と、前記ロック部と係合することによって前記開閉蓋を閉成位置に保持するロック保持部及び前記ロック制御部と当接することにより前記ロック保持部による保持動作を制御する制御部が形成されているとともに取付基板に回動可能に取り付けられている第１制御部材と、該第１制御部材を前記開閉蓋を閉成位置にロック保持する方向へ回動付勢する第１スプリングと、前記取付基板に回動可能に取り付けられているとともに前記第１制御部材と当接し、該第１制御部材の位置決めを行う第２制御部材と、前記第１制御部材を回動付勢する第１スプリングの付勢力に抗する方向へ該第２制御部材を回動付勢する第２スプリングと、前記取付基板に回動可能に取り付けられているとともに前記第２制御部材と第３スプリングにて連結されている第３制御部材と、磁石によって吸着保持される吸着位置と該磁石より離れた非吸着位置との間を変位可能に設けられているとともに前記第３制御部材と連結ピンにて連結されている吸着部材とより成り、前記磁石の前記吸着部材に対する吸着力により前記第１制御部材による前記開閉蓋の閉成位置におけるロック保持動作を行うようにしたことを特徴とする開閉蓋のロック装置。
【請求項２】
磁石の近傍に電磁コイルを設け、該電磁コイルへの通電による前記磁石の吸着力の低減により前記第１制御部材による前記開閉蓋の閉成位置におけるロック保持動作を解除するようにしたことを特徴とする請求項１に記載のロック装置。
【発明の詳細な説明】
【０００１】
【発明の属する技術分野】
本発明は、電子機器、例えばディスクプレーヤーのディスク装着部を被うべく開放位置と閉成位置との間を変位可能に設けられている開閉蓋のロック装置に係る。
【０００２】
【従来の技術】
光学式ピックアップを用いてディスクに記録されている信号の読み取り動作を行うように構成された光学式ディスクプレーヤーが普及しているが、斯かるディスクプレーヤーは、ディスクが載置されるとともに該ディスクを回転させるターンテーブルを備えている。
【０００３】
光学式ディスクプレーヤーの代表的なものとしては、ＣＤプレーヤーが一般に良く知られているが、斯かるＣＤプレーヤーの中には、ヘッドフォンによって再生音を聴取するように構成されたヘッドフォンステレオ型のポータブルＣＤプレーヤーがある。また、最近ではコンピューターと組み合わせて使用するＣＤ−ＲＯＭプレーヤーやディスクへの記録動作を行うことが出来るディスク記録再生装置が普及している。
【０００４】
【発明が解決しようとする課題】
ポータブル型のディスク記録再生装置は、装置の上面にディスクの装着部が設けられており、その装着部を被う開閉蓋を一般に備えている。斯かるディスク記録再生装置では、開閉蓋の開閉動作を行う機構を備えているが、一般的には、開放動作を行うために設けられている操作釦への押圧力によって開閉蓋のロック位置におけるロックを解除するように構成されているため、操作性が悪いだけでなく操作感が悪いという問題がある。
【０００５】
本発明は、斯かる問題を解決した開閉蓋のロック装置を提供しようとするものである。
【０００６】
【課題を解決するための手段】
本発明のロック装置は、開放位置と閉成位置との間を変位可能に設けられた開閉蓋に形成されているロック部及びロック制御部と、前記ロック部と係合することによって前記開閉蓋を閉成位置に保持するロック保持部及び前記ロック制御部と当接することにより前記ロック保持部による保持動作を制御する制御部が形成されているとともに取付基板に回動可能に取り付けられている第１制御部材と、該第１制御部材を前記開閉蓋を閉成位置に保持する方向へ回動付勢する第１スプリングと、前記取付基板に回動可能に取り付けられているとともに前記第１制御部材と当接し、該第１制御部材の位置決めを行う第２制御部材と、前記第１制御部材を回動付勢する第１スプリングの付勢力に抗する方向へ該第２制御部材を回動付勢する第２スプリングと、前記取付基板に回動可能に取り付けられているとともに前記第２制御部材と第３スプリングにて連結されている第３制御部材と、磁石によって吸着保持される吸着位置と該磁石より離れた非吸着位置との間を変位可能に設けられているとともに前記第３制御部材と連結ピンにて連結されている吸着部材とより構成されている。
【０００７】
【実施例】
図面は何れも本発明に関するものであり、図１は各部材が非ロック位置にある状態を示す底面図、図２は各部材がロック位置にある状態を示す底面図、図３は開閉蓋が開放位置にある状態を示す要部の側断面図、図４は開閉蓋が開放位置と閉成位置との間にある状態を示す要部の側断面図、図５は開閉蓋が閉成位置にある状態を示す要部の側断面図である。
【０００８】
図において、１はディスク記録再生装置の本体（図示せず）に対して図３に示した開放位置と図５に示した閉成位置との間を変位可能に設けられている開閉蓋であり、ロック部２及びロック制御部３が図示したように該開閉蓋１と合成樹脂等によって一体的に形成されているとともに図示しない弾性手段によって図３に示す開放位置まで回動付勢されている。斯かる構成において、前記ロック部２には、ロック作用を成す係合部２Ａと傾斜部２Ｂが形成され、前記ロック制御部３には第１傾斜部３Ａ及び第２傾斜部３Ｂが形成されている。
【０００９】
以上の如く開閉蓋１は形成されているが、次にそのロック機構について説明する。図１及び図２はロック装置を下方より見た底面図であり、ディスク記録再生装置の本体に取付固定されている。
【００１０】
図１において、４は取付基板であり、前記開閉蓋１に形成されているロック部２及びロック制御部３が挿通される透孔５及び６が形成されている。７は前記取付基板４にネジ８によって回動可能に取り付けられている第１制御部材であり、前記ロック部２と係合することによって前記開閉蓋１を閉成位置に保持するロック保持部９及び前記ロック制御部３と当接することにより前記ロック保持部９による保持動作を制御する制御部１０が形成されている。斯かる構成において、前記ロック保持部９には、前記ロック部２の係合部２Ａと係合する係合部９Ａ及び傾斜部２Ｂと当接する傾斜部９Ｂとが形成され、前記制御部１０には前記ロック制御部３の第１傾斜部３Ａ及び第２傾斜部３Ｂと各々当接する第１傾斜部１０Ａ及び第２傾斜部１０Ｂが形成されている。１１は前記第１制御部材７に形成されている当接部、１２は一端が前記第１制御部材７に取り付けられているとともに他端が前記取付基板４に取り付けられている第１スプリングであり、該第１制御部材７を時計方向へ回動付勢する作用を有している。
【００１１】
１３は前記取付基板４にネジ１４によって回動可能に取り付けられている第２制御部材であり、前記第１制御部材７に形成されている当接部１１と当接する当接片１５及び当接部１６が形成されているとともに第２スプリング１７によって時計方向に回動付勢されている。斯かる構成において、第２スプリング１７の弾性力による第２制御部材１３の回動力の方が第１スプリング１２の弾性力による第１制御部材７の回動力よりも強くなるように設定されている。即ち、第１制御部材７は当接部１１と第２制御部材１３に形成されている当接片１５との当接関係によってその回動位置が規制されるように構成されている。
【００１２】
１８は前記取付基板４にネジ１４によって回動可能に取り付けられている第３制御部材であり、前記第２制御部材１３に形成されている当接部１６と当接する当接突部１９が形成されているとともに第３スプリング２０によって前記第２制御部材１３と連結されている。斯かる構成において、第３制御部材１８は当接突部１９と第２制御部材１３に形成されている当接部１６との当接関係によってその回動位置が規制されるように構成されている。
【００１３】
２１は連結ピン２２によって第３制御部材１８と連結されているとともに磁性体よりなる吸着部材、２３は取付基板４に固定されている磁石であり、前記吸着部材２１が図２に示す位置にあるとき該吸着部材２１を吸着する作用を成すものである。２４は前記磁石２３の近傍に設けられている電磁コイルであり、ロック解除動作時通電されて前記磁石２３による吸着力を低減させる作用を有している。
【００１４】
以上の如く本発明のロック装置は構成されており、次にその動作について説明する。図３は開閉蓋１が開放位置にある状態を示すものであり、斯かる状態にあるとき、ロック機構は図１に示した非ロック状態にある。斯かる状態にあるとき、吸着部材２１は図示したように磁石２３より離間した位置にあり、該磁石２３によって吸着部材２１が吸着されることはない。
【００１５】
図３に示した状態より開閉蓋１を閉成位置方向、即ち矢印Ａ方向へ押圧させると該開閉蓋１に形成されているロック制御部３の第２傾斜部３Ｂが第１制御部材７に形成されている制御部１０の第２傾斜部１０Ｂに当接する。その結果、前記制御部１０が図３において矢印Ｂ方向へ押圧変位せしめられ、図４に示す状態になる。前記制御部１０が図３において矢印Ｂ方向へ押圧変位せしめられると、該制御部１０が形成されている第１制御部材７は、図１において時計方向に回動変位せしめられることになる。
【００１６】
前記第１制御部材７が時計方向に回動変位すると、該第１制御部材７に形成されている当接部１１による押圧力が第２制御部材１３の当接片１５に対して作用するため、該第２制御部材１３は第２スプリング１７の付勢力に抗して反時計方向に回動変位せしめられる。前記第２制御部材１３が反時計方向に回動変位すると、該第２制御部材１３と第３スプリング２０によって連結されているとともに当接部１６と当接突部１９とによって位置が規制されている第３制御部材１８が反時計方向に回動変位せしめられる。
【００１７】
前記第３制御部材１８が反時計方向に回動変位すると、該第３制御部材１８と連結ピン２２によって連結されている吸着部材２１が矢印Ｃ方向、即ち磁石２３の方向へ変位せしめられる。前記吸着部材２１が矢印Ｃ方向へ変位すると、該吸着部材２１は磁石２３によって吸着され、該吸着部材２１は図２に示す吸着位置、即ちロック位置に吸着保持された状態になる。
【００１８】
前記吸着部材２１が図２に示したロック位置に変位せしめられると、該吸着部材２１と連結ピン２２によって連結されている第３制御部材１８は図２に示したロック位置に保持されることになる。前記第３制御部材１８がロック位置に変位すると、該第３制御部材１８に形成されている当接突部１９による第２制御部材１３に形成されている当接部１６に対する規制作用によって該第２制御部材１３は第２スプリング１７の回動付勢力に抗して図２に示したロック位置、即ち図１に示した非ロック位置より反時計方向に回動変位した位置に保持されることになる。
【００１９】
前記第２制御部材１３が図２に示す非ロック位置に回動変位すると、該第２制御部材１３によって回動位置が規制される第１制御部材７は図１に示す位置より図２に示すロック位置まで回動変位せしめられる。前記第１制御部材７は、図２に示すロック位置にあるとき時計方向への回動位置は第２制御部材１３に形成されている当接片１５によって規制されているが、反時計方向への回度変位動作は可能な状態にある。
【００２０】
前述したように開閉蓋１を閉成位置方向に変位させると、該開閉蓋１に形成されているロック制御部３の第２傾斜部３Ｂが第１制御部材７に形成されている制御部１０の第２傾斜部１０Ｂに当接押圧することによる第１制御部材７の変位動作に伴って第２制御部材１３、第３制御部材１８及び吸着部材２１が図１に示す非ロック位置より図２に示すロック位置までの変位動作が行われる。
【００２１】
図４は開閉蓋１を図３に示す開放位置より図５に示す閉成位置へ変位せしめる途中の状態を示すものであり、前記第１制御部材７を最も時計方向へ回動変位せしめた状態である。斯かる状態にあるとき、第３制御部材１８は吸着部材２１が磁石２３に吸着された位置にあり、図２に示した位置より反時計方向への変位動作は阻止された状態にある。そして、このとき第２制御部材１３は第１制御部材７によって反時計方向に大きく回動変位せしめられることになるが、このとき発生するオーバーストロークは、第３スプリング２０によって吸収されるので、第３制御部材１３等が損傷することはない。
【００２２】
前述した各部材のロック位置への変位動作が行われることにより第１制御部材７に形成されているロック保持部９は開閉蓋１に形成されているロック部２と係合可能な位置に変位することになる。前記第１制御部材７に形成されているロック保持部９が係合可能な位置に変位すると開閉蓋１の閉成位置への変位動作に伴って該開閉蓋１に形成されているロック部２の傾斜部２Ｂがロック保持部９の傾斜部９Ｂに当接する。その結果、ロック保持部９がロック部２より受ける押圧力によって矢印Ｂ方向へ押圧変位せしめられる。すなわち、第１制御部材７は第１スプリング１２の付勢力に抗して反時計方向に回動変位せしめられる。
【００２３】
斯かる動作が行われた後、前記開閉蓋１が閉成位置まで変位せしめられると、開閉蓋１に形成されているロック部２の傾斜部２Ｂとロック保持部９の傾斜部９Ｂとの当接関係が絶たれ、図５に示すようにロック部２の係合部２Ａとロック保持部９の係合部９Ａとが係合した状態になる。図５に示した状態は、開閉蓋１が閉成位置にロック保持された状態を示すものであり、該開閉蓋１はロック部２の係合部２Ａとロック保持部９の係合部９Ａとの係合によって弾性手段による開放位置方向への付勢力に抗して閉成位置に保持されることになる。
【００２４】
以上に説明したように開閉蓋１の閉成動作は行われるが、次に該開閉蓋１の開放動作について説明する。開閉蓋１が図５に示す閉成位置にあるとき、ロック機構は図２に示す状態にある。斯かる状態において、開閉蓋１の開放操作を行うと、電磁コイル２４への通電が行われる。
【００２５】
前記電磁コイル２４に通電されると前記磁石２３による吸着力が低減される。その結果、第２制御部材１３を時計方向に回動付勢する第２スプリング１７による第３制御部材１８の時計方向への回動付勢力が吸着部材２１に対する磁石２３による吸着力よりも大きくなる。従って、前記第２制御部材１３及び第３制御部材１８は図２に示すロック位置より図１に示す非ロック位置に回動変位せしめられるとともに吸着部材２１は矢印Ｄ方向へ変位せしめられる。
【００２６】
前述したように第２制御部材１３が時計方向に回動変位すると、該第２制御部材１３に形成されている当接片１５によって位置が規制されている第１制御部材７が反時計方向に回動変位せしめられる。前記第１制御部材７が反時計方向に回動変位すると、該第１制御部材７に形成されているロック保持部９が図５において矢印Ｂ方向、即ち非ロック位置方向へ変位せしめられる。その結果、前記ロック保持部９に形成されている係合部９Ａとロック部２に形成されている係合部２Ａとの係合関係が絶たれることになる。斯かる動作が行われると開閉蓋１に対する閉成位置における保持動作が絶たれるため該開閉蓋１は弾性手段による付勢力によって開放位置に変位せしめられる。
【００２７】
前述したように開閉蓋１の閉成位置におけるロック解除動作は行われるが、前記開閉蓋１の開放位置への変位動作が行われるとき、制御部１０の第１傾斜部１０Ａがロック制御部３の第１傾斜部３Ａに当接し、第１制御部材７を回動変位させるので、該開閉蓋１の開放位置への変位動作を支障無く行うことが出来る。
【００２８】
【発明の効果】
本発明のロック装置は、開放位置と閉成位置との間を変位可能に設けられた開閉蓋に形成されているロック部及びロック制御部と、前記ロック部と係合することによって前記開閉蓋を閉成位置に保持するロック保持部及び前記ロック制御部と当接することにより前記ロック保持部による保持動作を制御する制御部が形成されているとともに取付基板に回動可能に取り付けられている第１制御部材と、該第１制御部材を前記開閉蓋を閉成位置にロック保持する方向へ回動付勢する第１スプリングと、前記取付基板に回動可能に取り付けられているとともに前記第１制御部材と当接し、該第１制御部材の位置決めを行う第２制御部材と、前記第１制御部材を回動付勢する第１スプリングの付勢力に抗する方向へ該第２制御部材を回動付勢する第２スプリングと、前記取付基板に回動可能に取り付けられているとともに前記第２制御部材と第３スプリングにて連結されている第３制御部材と、磁石によって吸着保持される吸着位置と該磁石より離れた非吸着位置との間を変位可能に設けられているとともに前記第３制御部材と連結ピンにて連結されている吸着部材とより成り、前記磁石の前記吸着部材に対する吸着力により前記第１制御部材による前記開閉蓋の閉成位置におけるロック保持動作を行うようにしたので、開閉蓋を閉成位置に保持するためのロック機構が簡潔になるという利点を有している。
【００２９】
また、本発明は、磁石の近傍に電磁コイルを設け、該電磁コイルへの通電による前記磁石の吸着力の低減により前記第１制御部材による前記開閉蓋の閉成位置におけるロック保持動作を解除するようにしたので、即ち電子的にロック解除動作を行うことが出来るので、操作性に優れるだけでなく良好な操作感を得ることが出来るという利点を有している。
【図面の簡単な説明】
【図１】本発明の各部材が非ロック位置にある状態を示す底面図である。
【図２】本発明の各部材がロック位置にある状態を示す底面図である。
【図３】開閉蓋が開放位置にある状態を示す要部の側断面図である。
【図４】開閉蓋が開放位置と閉成位置との間にある状態を示す要部の側断面図である。
【図５】開閉蓋が閉成位置にある状態を示す要部の側断面図である。
【符号の説明】
１          開閉蓋
２          ロック部
３          ロック制御部
４          取付基板
７          第１制御部材
９          ロック保持部
１０          制御部
１２          第１スプリング
１３          第２制御部材
１７          第２スプリング
１８          第３制御部材
２０          第３スプリング
２１          吸着部材
２２          連結ピン
２３          磁石
２４          電磁コイル
【図１】
0003754318.tif 000002
【図２】
0003754318.tif 000003
【図３】
0003754318.tif 000004
【図４】
0003754318.tif 000005
【図５】
0003754318.tif 000006